(57)【要約】【課題】本発明は、隣接するチェア相互を十分に接近させても各座席相互の区画が明確に示されるようにしながら、観覧時にしばしば必要とされる飲物のためのカップホルダーを形成できるようにしたスタジアム用チェアを提供することを課題とする。【解決手段】スタジアムの観覧席用段部１における水平面の縁部に沿い列設されるチェア２において、そのシート部材３の両側縁に、半円形の凹部３ａが形成されており、隣接するチェア２の半円形凹部３ａと協働してカップホルダー５が形成されるようになっている。したがって、隣接するチェア２，２どうしが十分に近接した状態でも、カップホルダー５の形成によりチェア相互の境界が明確になって、着座者相互のプライバシーが保たれるほか、チェア相互の接近により座席数を増加させることができる。【選択図】  図４
2004147772.tif 000002
【特許請求の範囲】
【請求項１】
スタジアムの観覧席用段部における水平面の縁部に沿い相互に接近して列設されるチェアにおいて、上記段部水平面に取付けられるシート部材と、同シート部材の後縁に一体に成形された背もたれ部材とを備え、上記シート部材の両側縁に、隣接するチェアと協働してカップホルダーを形成するための半円形の凹部が設けられていることを特徴とする、スタジアム用チェア。
【請求項２】
請求項１に記載のスタジアム用チェアにおいて、上記シート部材の座面に、下方へ貫通した水抜き孔が形成されるとともに、同水抜き孔の内壁に上記シート部材を上記観覧席用段部の水平面へボルト締めするためのボルト係合用長穴付き棚部が形成されていることを特徴とする、スタジアム用チェア。
【請求項３】
請求項１または２に記載のスタジアム用チェアにおいて、上記背もたれ部材の裏面に、収納袋の手掛け部を引掛けるためのフックが、同背もたれ部材と一体に成形されていることを特徴とする、スタジアム用チェア。
【請求項４】
請求項１〜３のいずれか１つに記載のスタジアム用チェアにおいて、上記背もたれ部材に座席番号表示用の凹部が形成されていることを特徴とする、スタジアム用チェア。
【発明の詳細な説明】
【０００１】
【発明の属する技術分野】
本発明は、運動競技や自動車レースなどの行われるスタジアムに装備されるためのチェアに関する。
【０００２】
【従来の技術】
スタジアムに構築された鉄筋コンクリート製段部には、一般に同段部の水平な縁部に沿ってベンチ型の座席が設けられている。
また、上記ベンチ型の座席の代わりにチェア型の座席を設ける場合もある。
【０００３】
【発明が解決しようとする課題】
ところで、前述のような従来のベンチ型座席では、シート面が連続して形成されているため、隣り合う観客相互のプライバシーが十分には保たれないという不具合がある。
そこで、チェア型の座席を列設することが考えられるが、上記プライバシーを十分に保つためには隣接するチェア相互の間隔をかなりあけなければならず、これにより座席数の大幅な減少を招くことになる。
【０００４】
そこで本発明は、隣接するチェア相互を十分に接近させても各座席相互の区画が明確に示されるようにしながら、観覧時にしばしば必要とされる飲物のためのカップホルダーを形成できるようにしたスタジアム用チェアを提供することを課題とする。
【０００５】
【課題を解決するための手段】
前述の課題を解決するため、本発明のスタジアム用チェアは、スタジアムの観覧席用段部における水平面の縁部に沿い相互に接近して列設されるチェアにおいて、上記段部水平面に取付けられるシート部材と、同シート部材の後縁に一体に成形された背もたれ部材とを備え、上記シート部材の両側縁に、隣接するチェアと協働してカップホルダーを形成するための半円形の凹部が設けられていることを特徴としている。
【０００６】
また、本発明のスタジアム用チェアは、上記シート部材の座面に、下方へ貫通した水抜き孔が形成されるとともに、同水抜き孔の内壁に上記シート部材を上記観覧席用段部の水平面へボルト締めするためのボルト係合用長穴付き棚部が形成されていることを特徴としている。
【０００７】
さらに、本発明のスタジアム用チェアは、上記背もたれ部材の裏面に、収納袋の手掛け部を引掛けるためのフックが、同背もたれ部材と一体に成形されていることを特徴としている。
【０００８】
また、本発明のスタジアム用チェアは、上記背もたれ部材に座席番号表示用の凹部が形成されていることを特徴としている。
【０００９】
上述の本発明のスタジアム用チェアでは、観覧席用段部における水平面の縁部に沿って列設される際に、隣接するチェアが相互に十分に接近するように配置され、これに伴い各チェアのシート部材の側縁に設けられた半円形の凹部が互いに協働して円形のカップホルダーを形成することができる。
【００１０】
そして、隣接するチェアどうしが十分に接近した状態でも、上記円形のカップホルダーの形成により、チェア相互の境界が明確になって、隣接する着座者相互のプライバシーが保たれるようになる。
【００１１】
また上記チェアは、十分に接近した状態で列設されるので、観覧席用段部における水平面の縁部に沿う座席数を、従来のものと比べて大幅に増加させることができる。
【００１２】
さらに、各チェアにはシート部材と一体に成形された背もたれ部材を備えるので、着座者は、安楽な姿勢でレース等の観覧を行うことができる。
【００１３】
また、上記シート部材の座面に下方へ貫通した水抜き孔が形成されると、降雨時の不使用状態で雨水の水はけが向上するようになる。
【００１４】
そして、上記水抜き孔の内壁に上記シート部材を上記観覧席用段部の水平面へボルト締めするためのボルト係合用長穴付き棚部が形成されることにより、ボルトの頭部をシート面から下方へ十分に沈ませた状態にすることができ、このようにして見栄えの向上をはかることができる。
【００１５】
さらに、上記背もたれ部材の裏面にフックが一体に形成されると、同背もたれ部材の後方のチェアに着座する人が上記フックを利用して収納袋の手掛け部などを引掛けることができ、同チェアの利便性が一層高められるようになる。
【００１６】
また、上記背もたれ部材に座席番号表示用の凹部が形成されることにより、観覧者は入場券に記載された座席番号を上記凹部に表示された座席番号と照合して自己の座席を容易に確認できるようになる。
【００１７】
【発明の実施の形態】
以下、図面により本発明の一実施形態としてのスタジアム用チェアについて説明すると、図１はその配列状態の一部を示す側面図、図２は図１のＡ−Ａ矢視図、図３は図２のＢ−Ｂ矢視図、図４は上記チェアの隣接状態を示す斜視図、図５は図４のＣ−Ｃ矢視拡大断面図、図６は上記チェアの背面を示す斜視図である。
【００１８】
図１〜３に示すように、スタジアムの観覧席用段部１における水平面の縁部に沿い相互に近接して列設されるチェア２が、プラスチック製のシート部材３と、同シート部材３の後縁に一体に成形された同質の背もたれ部材４とを備えて構成されている。
【００１９】
そして、シート部材３の両側縁には、隣接するチェア２と協働してカップホルダー５を形成するための半円形の凹部３ａが設けられている（図４参照）。なお、本実施形態では凹部３ａがシート部材３の両側にそれぞれ２個ずつ形成されているが、これを１個ずつ形成するようにしてもよい。
【００２０】
また、シート部材３の座面に、下方へ貫通した水抜き孔６が４個ずつ形成されており、同水抜き孔６の内壁には図５に示すように、シート部材３を観覧席用段部１の水平面へボルト７で締め付けるためのボルト係合用長穴付き棚部６ａが形成されている。そして、水抜き孔６を通じて流下した雨水などの水はけが能率よく行われるように、シート部材３の下面には、同シート部材３の下面を段部１の水平面からやや離隔させるためのリブ３ｂが形成されている。
【００２１】
さらに、図６に示すように、チェア２の背もたれ部材４の裏面には、フック８が同背もたれ部材４と一体に成形加工されていて、同フック８に収納袋の手掛け部を引掛けることができるようになっている。
【００２２】
また、図３および図４に示すように、各チェア２の背もたれ部材４の上部のシート側には、座席番号表示用の凹部９が形成されている。
【００２３】
なお、シート部材３の座面の内奥部には、図２および図４に示すように、付加的な水抜き孔１０も形成されて、降雨時には十分な水抜きが行われるようになっている。
【００２４】
上述の本実施形態のスタジアム用チェアでは、観覧席用段部１における水平面の縁部に沿って列設される際に、隣接するチェア２，２が相互に十分に接近するように配置され、これに伴い各チェア２のシート部材３の側縁に設けられた半円形の凹部３ａが互いに協働して円形のカップホルダー５を形成することができる。
【００２５】
そして、隣接するチェア２，２どうしが十分に接近した状態でも、円形のカップホルダー５の形成により、チェア２，２相互の境界が明確になって、隣接する着座者相互のプライバシーが保たれるようになる。
【００２６】
またチェア２，２は、十分に接近した状態で列設されるので、観覧席用段部１における水平面の縁部に沿う座席数を、従来のものと比べて大幅に増加させることができる。
【００２７】
さらに、各チェア２にはシート部材３と一体に成形された背もたれ部材４を備えるので、着座者は、安楽な姿勢でレース等の観覧を行うことができる。
【００２８】
また、シート部材３の座面に下方へ貫通した水抜き孔６が形成されるので、降雨時の不使用状態で雨水の水はけが向上するようになる。
【００２９】
そして、水抜き孔６の内壁にシート部材３を観覧席用段部１の水平面へボルト７で締め付けるためのボルト係合用長穴付き棚部６ａが形成されることにより、ボルト７の頭部をシート面から下方へ十分に沈ませた状態にすることができ、このようにして見栄えの向上をはかることができる。
【００３０】
さらに、背もたれ部材４の裏面にフック８が一体に形成されるので、同背もたれ部材４の後方のチェアに着座する人がフック８を利用して収納袋の手掛け部などを引掛けることができ、同チェアの利便性が一層高められるようになる。
【００３１】
また、背もたれ部材４に座席番号表示用の凹部９が形成されることにより、観覧者は入場券に記載された座席番号を上記凹部に表示された座席番号と照合して自己の座席を容易に確認できるようになる。
【００３２】
【発明の効果】
以上詳述したように、本発明のスタジアム用チェアによれば次のような効果が得られる。
（１）  観覧席用段部における水平面の縁部に沿ってチェアが列設される際に、隣接するチェアが相互に十分に接近するように配置され、これに伴い各チェアのシート部材の側縁に設けられた半円形の凹部が互いに協働して円形のカップホルダーを形成することができる。そして、隣接するチェアどうしが十分に接近した状態でも、上記円形のカップホルダーの形成により、チェア相互の境界が明確になって、隣接する着座者相互のプライバシーが保たれるようになる。また上記チェアは、十分に接近した状態で列設されるので、観覧席用段部における水平面の縁部に沿う座席数を、従来のものと比べて大幅に増加させることができる。さらに、各チェアにはシート部材と一体に成形された背もたれ部材を備えるので、着座者は、安楽な姿勢でレース等の観覧を行うことができる。
（２）  上記シート部材の座面に下方へ貫通した水抜き孔が形成されると、降雨時の不使用状態で雨水の水はけが向上するようになる。そして、上記水抜き孔の内壁に上記シート部材を上記観覧席用段部の水平面へボルト締めするためのボルト係合用長穴付き棚部が形成されることにより、ボルトの頭部をシート面から下方へ十分に沈ませた状態にすることができ、このようにして見栄えの向上をはかることができる。
（３）  上記背もたれ部材の裏面にフックが一体に形成されると、同背もたれ部材の後方のチェアに着座する人が上記フックを利用して収納袋の手掛け部などを引掛けることができ、同チェアの利便性が一層高められるようになる。
（４）  上記背もたれ部材に座席番号表示用の凹部が形成されることにより、観覧者は入場券に記載された座席番号を上記凹部に表示された座席番号と照合して自己の座席を容易に確認できるようになる。
【図面の簡単な説明】
【図１】本発明の一実施形態としてのスタジアム用チェアの設置状態を示す側面図である。
【図２】図１のＡ−Ａ矢視図である。
【図３】図２のＢ−Ｂ矢視図である。
【図４】上記スタジアム用チェアの隣接状態を示す斜視図である。
【図５】図４のＣ−Ｃ矢視拡大断面図である。
【図６】上記スタジアム用チェアを斜め後方からみた斜視図である。
【符号の説明】
１  観覧席用段部
２  チェア
３  シート部材
３ａ  凹部
３ｂ  リブ
４  背もたれ部材
５  カップホルダー
６  水抜き孔
６ａ  ボルト係合用長穴付き棚部
７  ボルト
８  フック
９  凹部
１０  水抜き孔
【図１】
2004147772.tif 000003
【図２】
2004147772.tif 000004
【図３】
2004147772.tif 000005
【図４】
2004147772.tif 000006
【図５】
2004147772.tif 000007
【図６】
2004147772.tif 000008